【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  データ記憶システム用の光学素子組立体（１０１）であって、少なくとも１本の低複屈折性光ファイバ（１０２）がこの光学素子組立体（１０１）へ光学的に結合される光学素子組立体において、
少なくとも１本の低複屈折性光ファイバ（１０２）の一端へ光学的に結合した第１のビームスプリッタと、
第１のビームスプリッタへ光学的に結合した光学位相遅延モジュールと、
光学位相遅延モジュールへ光学的に結合した第２のビームスプリッタとを有し、光学位相遅延モジュールが少なくとも１本の低複屈折性光ファイバの面内曲げを補償する、光学素子組立体。
【請求項２】  請求項１の組立体において、上記データ記憶システムが光磁気ディスクシステムを含む、光学素子組立体。
【請求項３】  請求項２の組立体において、上記第１のビームスプリッタが漏洩ビームスプリッタ（２３２）を含む、光学素子組立体。
【請求項４】  請求項３の組立体において、上記第２のビームスプリッタが偏光ビームスプリッタ（２３９）を含む、光学素子組立体。
【請求項５】  請求項４の組立体において、上記位相遅延モジュールが、第１の１／２波長板（２５３）へ光学的に結合した光学位相遅延素子（２５５）を含む、光学素子組立体。
【請求項６】  請求項４の組立体において、上記位相遅延モジュールが、回転する１／２波長板（２５７）へ光学的に結合した１／４波長板（２５４）を含む、光学素子組立体。
【請求項７】  請求項３の組立体において、上記位相遅延モジュールが、第２のビームスプリッタへ光学的に結合した１／４波長板（２５４）を含み、第２のビームスプリッタが動的に回転する偏光ビームスプリッタ（２３９）である、光学素子組立体。
【請求項８】  請求項４の組立体であって、上記偏光ビームスプリッタ（２３９）とレンズ（２３３）の間へ光学的に結合した光学偏光回転子（２５６）をさらに有し、この光学偏光回転子が、少なくとも１本の低複屈折性光ファイバ（１０２）の面外曲げを補償する、光学素子組立体。
【請求項９】  請求項８の組立体において、上記光学偏光回転子（２５６）が第２の１／２波長板から成る、光学素子組立体。
【請求項１０】  請求項８の組立体であって、上記漏洩ビームスプリッタ（２３２）へ光学的に結合したファブリ・ペロ・レーザ（２３１）をさらに有し、このファブリ・ペロ・レーザ（２３１）が特定周波数で変調される、光学素子組立体。
【請求項１１】  データ記憶システムであって、
記憶媒体と、
光ビームを用いて記憶媒体からデータを読み、記憶媒体にデータを書く少なくとも一つの記録ヘッド（１０６）と、
対応する少なくとも１本の低複屈折性光ファイバを介して少なくとも一つの記録ヘッドに結合した光学モジュール（１０３）とを有し、少なくとも一つの記録ヘッドの各々についての外形が少なくとも１本の低複屈折性光ファイバの使用によって低減し、これが少なくとも一つの記録ヘッドの各々における追加光学コンポーネントの排除となる、データ記憶システム。
【請求項１２】  請求項１１のシステムにおいて、上記光学モジュールが、光学スイッチに結合した光学組立体を含む、データ記憶システム。
【請求項１３】  請求項１２のシステムにおいて、上記光学組立体が、
少なくとも１本の低複屈折性光ファイバ（１０２）の一端へ光学的に結合したレンズ（２３３）と、
レンズ（２３３）と光源との間へ光学的に結合した第１のビームスプリッタと、
第１のビームスプリッタとレンズ（２３３）との間へ光学的に結合した光学偏光回転子（２５６）と、
第１のビームスプリッタと第２のビームスプリッタとの間へ光学的に結合した光学位相遅延モジュールとを有し、光学位相遅延モジュールが少なくとも１本の低複屈折性光ファイバの面内曲げを補償し、光学偏光回転子が少なくとも１本の低複屈折性光ファイバの面外曲げを補償する、データ記憶システム。
【請求項１４】  請求項１３のシステムにおいて、上記第１のビームスプリッタが漏洩ビームスプリッタ（２３２）を含み、上記第２のビームスプリッタが偏光ビームスプリッタ（２３９）を含む、データ記憶システム。
【請求項１５】  請求項１４のシステムにおいて、上記位相遅延モジュールが、第１の１／２波長板（２５３）へ光学的に結合した光学位相遅延素子（２５５）を含む、データ記憶システム。
【請求項１６】  請求項１４のシステムにおいて、上記位相遅延モジュールが、回転する１／２波長板（２５７）へ光学的に結合した１／４波長板（２５４）を含む、データ記憶システム光学素子組立体。
【請求項１７】  請求項１３のシステムにおいて、上記位相遅延モジュールが、第２のビームスプリッタへ光学的に結合した１／４波長板（２５４）を含み、第２のビームスプリッタが動的に回転する偏光ビームスプリッタ（２３９）である、データ記憶システム。
【請求項１８】  請求項１４のシステムにおいて、上記光学偏光回転子（２５６）が第２の１／２波長板から成る、データ記憶システム。
【請求項１９】  請求項１４のシステムにおいて、上記光源が、漏洩ビームスプリッタ（２３２）へ光学的に結合したファブリ・ペロ・レーザ（２３１）から成り、このファブリ・ペロ・レーザ（２３１）が特定周波数で変調される、データ記憶システム。
【請求項２０】  請求項１３のシステムにおいて、上記記憶媒体が複数の光磁気ディスク（１０７）から成り、各光磁気ディスク間の間隔が４．６２ｍｍ（０．１８２インチ）以下の隔たりである、データ記憶システム。
【請求項２１】  請求項１３のシステムにおいて、上記記憶媒体が、少なくとも一つの取り外し可能な光磁気ディスクカートリッジ部（５１０）と、少なくとも一枚の固定した内部光磁気ディスク（１０７）とから成る、データ記憶システム。
【請求項２２】  請求項１３のシステムにおいて、上記追加光学コンポーネントが第２の１／４波長板から成る、データ記憶システム。
【請求項２３】  データ記憶システムにおいて少なくとも１本の低複屈折性光ファイバ（１０２）の面内曲げを補償する方法であって、
少なくとも１本の低複屈折性光ファイバ（１０２）の一端へ光学的に結合した第１のビームスプリッタを通して光ビームを伝達する段階と、
この光ビームを、第１のビームスプリッタへ光学的に結合した光学位相遅延モジュールを通して伝達する段階と
この光ビームを、光学位相遅延モジュールへ光学的に結合した第２のビームスプリッタを通して伝達する段階とを含み、光学位相遅延モジュールが少なくとも１本の低複屈折性光ファイバの面内曲げを補償する、方法。
【請求項２４】  請求項２３の方法において、上記少なくとも１本の低複屈折性光ファイバ（１０２）の一端へ光学的に結合した第１のビームスプリッタを通して光ビームを伝達する段階が、少なくとも１本の低複屈折性光ファイバ（１０２）の一端へ光学的に結合した漏洩ビームスプリッタ（２３２）を通して光ビームを伝達する段階を含む、方法。
【請求項２５】  請求項２４の方法において、上記光ビームを第２のビームスプリッタを通して伝達する段階が、偏光ビームスプリッタを通して光ビームを伝達する段階を含む、方法。
【請求項２６】  請求項２５の方法において、上記光ビームを位相遅延モジュールを通して伝達する段階が、光学位相遅延素子（２５５）と第１の１／２波長板（２５３）とを通してこの光ビームを伝達する段階を含み、光学位相遅延素子（２５５）が第１の１／２波長板（２５３）へ光学的に結合されている、方法。
【請求項２７】  請求項２５の方法において、上記光ビームを位相遅延モジュールを通して伝達する段階が、１／４波長板（２５４）と回転する１／２波長板（２５７）とを通してこの光ビームを伝達する段階を含み、１／４波長板（２５４）が回転する１／２波長板（２５７）へ光学的に結合されている、方法。
【請求項２８】  請求項２４の方法において、上記光ビームを位相遅延モジュールを通して伝達する段階が、この光ビームを、第２のビームスプリッタへ光学的に結合した１／４波長板（２５４）を通して伝達する段階を含む、方法。
【請求項２９】  請求項２５の方法であって、上記漏洩ビームスプリッタ（２３２）とレンズ（２３３）の間へ光学的に結合した光学偏光回転子（２５６）を通して光ビームを伝達する段階をさらに有し、光学偏光回転子が少なくとも１本の低複屈折性光ファイバの面外曲げを補償する、方法。
【請求項３０】  請求項２９の方法において、上記光学偏光回転子（２５６）を通して光ビームを伝達する段階が、この光ビームを第２の１／２波長板を通して伝達する段階を含む、方法。